(57)【特許請求の範囲】
【請求項１】
油タンク（１）の底板から立設した芯内筒（２）と油タンク（１）の上面に取付けた芯外筒（３）とを設け、芯内筒（２）と芯外筒（３）とで構成する芯収容筒（４）の間隙に芯（５）を上下動自在に取り付け、前記芯（５）を上下動する芯上下装置（６）を設けると共に、前記芯収容筒（４）の上に内炎筒（７）と外炎筒（８）とを載置し、前記外炎筒（８）の外方に外筒（９）を設けて石油燃焼器の燃焼筒（Ａ）を構成し、前記外筒（９）の側面には操作つまみ（９ａ）を設け、
前記芯上下装置（６）の操作によって前記芯（５）を前記芯収容筒（４）の上方に突出させ、前記操作つまみ（９ａ）の操作によって前記燃焼筒（Ａ）の一端を持ち上げて斜めに傾けた状態で、前記燃焼筒（Ａ）の下端と前記芯外筒（３）の隙間から点火手段（１０）を挿入して前記芯（５）の上端に着火する石油燃焼器において、
前記操作つまみ（９ａ）とは反対側に位置するように前記外筒（９）の側面に突起部材（１２ａ）を取り付け、前記燃焼筒（Ａ）を囲む筒状の枠体（１１）の側壁には中央が開口するリング状のガイド板（１３）を取り付け、該ガイド板（１３）は前記突起部材（１２ａ）の上端より低い位置で、内周端（１３ａ）が前記突起部材（１２ａ）の側面と所定の間隔をあけて対向し、
前記操作つまみ（９ａ）の操作によって前記燃焼筒（Ａ）を持ち上げたときに、前記突起部材（１２ａ）の側面が前記ガイド板（１３）の内周端（１３ａ）に当接して、前記燃焼筒（Ａ）の支点となる前記外炎筒（８）の下端が前記芯収容筒（４）から離れない位置で前記燃焼筒（Ａ）の傾きと移動を止める規制手段（１２）を構成することを特徴とする石油燃焼器の燃焼筒。
【請求項２】
前記ガイド板（１３）には前記内周端（１３ａ）側が高くなる傾斜部（１３ｂ）を設け、
前記燃焼筒（Ａ）の前記突起部材（１２ａ）の上方には前記ガイド板（１３）の前記内周端（１３ａ）よりも外径を大きくした鍔部（１４）を形成し、該鍔部（１４）の外周端には先端を前記傾斜部（１３ｂ）の上方にのぞませた下向き縁部（１４ａ）を形成し、
前記操作つまみ（９ａ）の操作によって前記燃焼筒（Ａ）を持ち上げたときに、前記下向き縁部（１４ａ）が前記傾斜部（１３ｂ）に沿って移動することを特徴とする請求項１に記載の石油燃焼器の燃焼筒。
【請求項３】
油タンク（１）の底板から立設した芯内筒（２）と油タンク（１）の上面に取付けた芯外筒（３）とを設け、芯内筒（２）と芯外筒（３）とで構成する芯収容筒（４）の間隙に芯（５）を上下動自在に取り付け、前記芯（５）を上下動する芯上下装置（６）を設けると共に、前記芯収容筒（４）の上に内炎筒（７）と外炎筒（８）とを載置し、前記外炎筒（８）の外方に外筒（９）を設けて石油燃焼器の燃焼筒（Ａ）を構成し、前記外筒（９）の側面には操作つまみ（９ａ）を設け、
前記芯上下装置（６）の操作によって前記芯（５）を前記芯収容筒（４）の上方に突出させ、前記操作つまみ（９ａ）の操作によって前記燃焼筒（Ａ）の一端を持ち上げて斜めに傾けた状態で、前記燃焼筒（Ａ）の下端と前記芯外筒（３）の隙間から点火手段（１０）を挿入して前記芯（５）の上端に着火する石油燃焼器において、
前記芯外筒（３）の上面には前記外筒（９）を囲むように所定の角度間隔をあけて複数個所に配置した係止部材（１５）を設け、
該係止部材（１５）は前記燃焼筒（Ａ）の中心方向に向けて突出して前記外筒（９）の側面と所定の間隔をあけて対向する当接部（１５ａ）を形成し、前記操作つまみ（９ａ）の操作によって前記燃焼筒（Ａ）を持ち上げたときに、前記操作つまみ（９ａ）とは反対側の前記当接部（１５ａ）が前記外筒（９）の側面と当接して、前記燃焼筒（Ａ）の支点となる前記外炎筒（８）の下端が前記芯収容筒（４）から離れない位置で前記燃焼筒（Ａ）の傾きと移動を止める規制手段（１２）を構成すると共に、
前記当接部（１５ａ）は上部が前記外筒（９）側面から離れる方向に湾曲して、先端を前記燃焼筒（Ａ）を囲む筒状の枠体（１１）の側壁に取り付けたガイド板（１３）の内周端（１３ａ）より外側に伸ばしたことを特徴とする石油燃焼器の燃焼筒。
【請求項４】
油タンク（１）の底板から立設した芯内筒（２）と油タンク（１）の上面に取付けた芯外筒（３）とを設け、芯内筒（２）と芯外筒（３）とで構成する芯収容筒（４）の間隙に芯（５）を上下動自在に取り付け、前記芯（５）を上下動する芯上下装置（６）を設けると共に、前記芯収容筒（４）の上に内炎筒（７）と外炎筒（８）とを載置し、前記外炎筒（８）の外方に外筒（９）を設けて石油燃焼器の燃焼筒（Ａ）を構成し、前記外筒（９）の側面には操作つまみ（９ａ）を設け、
前記芯上下装置（６）の操作によって前記芯（５）を前記芯収容筒（４）の上方に突出させ、前記操作つまみ（９ａ）の操作によって前記燃焼筒（Ａ）の一端を持ち上げて斜めに傾けた状態で、前記燃焼筒（Ａ）の下端と前記芯外筒（３）の隙間から点火手段（１０）を挿入して前記芯（５）の上端に着火する石油燃焼器において、
前記芯外筒（３）の上面には前記操作つまみ（９ａ）とは反対側の前記外筒（９）の側面と対向するように所定の角度間隔をあけて配置した複数個の係止部材（１５）を設け、該係止部材（１５）は前記燃焼筒（Ａ）の中心方向に向けて突出して前記外筒（９）の側面と所定の間隔をあけて対向する当接部（１５ａ）を形成し、
前記外筒（９）の側面に円周方向に沿って突部（９ｂ）を形成し、
前記操作つまみ（９ａ）の操作によって前記燃焼筒（Ａ）を持ち上げたときに、前記当接部（１５ａ）が前記突部（９ｂ）と当接して、前記燃焼筒（Ａ）の支点となる前記外炎筒（８）の下端が前記芯収容筒（４）から離れない位置で前記燃焼筒（Ａ）の傾きと移動を止める規制手段（１２）を構成することを特徴とする石油燃焼器の燃焼筒。
【発明の詳細な説明】
【技術分野】
【０００１】
この発明は燃焼芯を用いた石油燃焼器の燃焼筒の構造に関するものである。
【背景技術】
【０００２】
石油燃焼器は、芯内筒と芯外筒とで芯収容筒を構成し、芯収容筒の間隙に芯を上下動自在に取り付け、芯収容筒の上には燃焼筒を備え、燃焼筒の内炎筒が芯内筒の上に、外炎筒が芯外筒の上に載置しており、ダイヤルや操作レバーなどによって構成される芯上下装置を操作して芯を燃焼位置まで上昇させると、芯の先端が内炎筒と外炎筒の間に突出し、点火スイッチの操作によって点火ヒータなどの点火装置を作動すれば芯に着火して燃焼が開始され、発生する燃焼炎と燃焼ガスが内炎筒と外炎筒の間を上昇し、空気の供給を受けて燃焼を完了するものである。
【０００３】
点火ヒータ切れや、電源となる乾電池の消耗などによって点火装置が作動しなくなったときは、マッチや点火用ライターなどの点火手段を用いて点火することになるが、この場合は芯上下装置の操作によって芯を燃焼位置に上昇させた後、片方の手で燃焼筒の操作つまみを持って燃焼筒を持ち上げて傾けた状態で、燃焼筒下端と芯外筒との間にできる隙間からマッチや点火用ライターを挿入して芯に点火しなければならない。
【先行技術文献】
【特許文献】
【０００４】
【特許文献１】実公昭６１−１９２８６号公報
【発明の概要】
【発明が解決しようとする課題】
【０００５】
石油燃焼器は燃焼筒が芯収容筒の上に正しく載置されず、燃焼筒が傾いた状態で載置されて燃焼筒の下部に隙間ができていると、空気供給のバランスが悪化して不完全燃焼を起こし、不完全燃焼ガスやススを発生させる原因となるため、燃焼筒を正しい位置に載置する必要がある。
【０００６】
しかし、マッチや点火ライターなどの点火手段を使って点火するときには、燃焼筒を必要以上に持ち上げてしまうと、燃焼筒が浮き上がって横方向に移動し、燃焼筒の下端が芯収容筒から外れてしまうことがあり、この状態で操作つまみから手を離すと燃焼筒が正しい位置に戻らなくなり、燃焼筒が傾いた状態で芯収容筒の上に載置したり、芯収容筒と燃焼筒の下端との間に芯の先端が挟まれたりすることがある。特に使用者がマッチや点火用ライターでの点火操作に慣れていない場合は、芯に点火した後に慌てて燃焼筒を正しい位置に戻す前に手を離してしまうことがあり、更に燃焼筒の傾きに気が付かずにそのまま使用してススを発生させる原因となっていた。このため、誰が操作しても燃焼筒を確実に正しい位置に戻すことができる構造が必要となる。
【課題を解決するための手段】
【０００７】
この発明は上記の課題を解決するもので、油タンク１の底板から立設した芯内筒２と油タンク１の上面に取付けた芯外筒３とを設け、芯内筒２と芯外筒３とで構成する芯収容筒４の間隙に芯５を上下動自在に取り付け、前記芯５を上下動する芯上下装置６を設けると共に、前記芯収容筒４の上に内炎筒７と外炎筒８とを載置し、前記外炎筒８の外方に外筒９を設けて石油燃焼器の燃焼筒Ａを構成し、前記外筒９の側面には操作つまみ９ａを設け、前記芯上下装置６の操作によって前記芯５を前記芯収容筒４の上方に突出させ、前記操作つまみ９ａの操作によって前記燃焼筒Ａの一端を持ち上げて斜めに傾けた状態で、前記燃焼筒Ａの下端と前記芯外筒３の隙間から点火手段１０を挿入して前記芯５の上端に着火する石油燃焼器において、前記操作つまみ９ａとは反対側に位置するように前記外筒９の側面に突起部材１２ａを取り付け、前記燃焼筒Ａを囲む筒状の枠体１１の側壁には中央が開口するリング状のガイド板１３を取り付け、該ガイド板１３は前記突起部材１２ａの上端より低い位置で、内周端１３ａが前記突起部材１２ａの側面と所定の間隔をあけて対向し、前記操作つまみ９ａの操作によって前記燃焼筒Ａを持ち上げたときに、前記突起部材１２ａの側面が前記ガイド板１３の内周端１３ａに当接して、前記燃焼筒Ａの支点となる前記外炎筒８の下端が前記芯収容筒４から離れない位置で前記燃焼筒Ａの傾きと移動を止める規制手段１２を構成することを特徴とする。
【０００９】
また、前記ガイド板１３には前記内周端１３ａ側が高くなる傾斜部１３ｂを設け、前記燃焼筒Ａの前記突起部材１２ａの上方には前記ガイド板１３の内周端１３ａよりも外径を大きくした鍔部１４を形成し、該鍔部１４の外周端には先端を前記傾斜部１３ｂの上方にのぞませた下向き縁部１４ａを形成し、前記操作つまみ９ａの操作によって前記燃焼筒Ａを持ち上げたときに、前記下向き縁部１４ａが前記傾斜部１３ｂに沿って移動することにより、燃焼筒Ａを傾けるときの案内となって外炎筒８の下端が横方向に滑って移動することを防止することができる。
【００１０】
また、前記芯外筒３の上面には前記外筒９を囲むように所定の角度間隔をあけて複数個所に配置した係止部材１５を設け、該係止部材１５は前記燃焼筒Ａの中心方向に向けて突出して前記外筒９の側面と所定の間隔をあけて対向する当接部１５ａを形成し、前記操作つまみ９ａの操作によって前記燃焼筒Ａを持ち上げたときに、前記操作つまみ９ａとは反対側の前記当接部１５ａが前記外筒９の側面と当接して、前記燃焼筒Ａの支点となる前記外炎筒８の下端が前記芯収容筒４から離れない位置で前記燃焼筒Ａの傾きと移動を止める規制手段１２を構成することにより、前記外炎筒８の下端が前記芯収容筒４から離れて持ち上げられることはなくなった。
【００１１】
また、前記当接部１５ａは上部が前記外筒９側面から離れる方向に湾曲して、先端を前記枠体１１の側壁に取り付けたガイド板１３の内周端１３ａより外側に伸ばしたことにより、燃焼筒Ａを芯収容筒４の上に載置するときに、燃焼筒Ａが湾曲した当接部１５ａの上部に沿って芯収容筒４の中央に誘導されるものである。
【００１２】
また、前記芯外筒３の上面には前記操作つまみ９ａとは反対側の前記外筒９の側面と対向するように所定の角度間隔をあけて配置した複数個の係止部材１５を設け、該係止部材１５は前記燃焼筒Ａの中心方向に向けて突出して前記外筒９の側面と所定の間隔をあけて対向する当接部１５ａを形成し、前記外筒９の側面に円周方向に沿って突部９ｂを形成し、前記操作つまみ９ａの操作によって前記燃焼筒Ａを持ち上げたときに、前記当接部１５ａが前記突部９ｂと当接して、前記燃焼筒Ａの支点となる前記外炎筒８の下端が前記芯収容筒４から離れない位置で前記燃焼筒Ａの傾きと移動を止める規制手段１２を構成することにより、外筒９の変形を防止することができる。
【発明の効果】
【００１３】
石油燃焼器をマッチや点火用ライターなどの点火手段１０によって点火するときは、操作つまみ９ａの操作によって燃焼筒Ａの一端を持ち上げて傾け、燃焼筒Ａの下端と芯外筒３との隙間から点火手段１０を挿入して芯５の先端に着火している。この発明は、燃焼筒Ａの外筒９と筒状の枠体１１の間に規制手段１２を設け、点火のために燃焼筒Ａの一端を持ち上げて傾けたときに規制手段１２が燃焼筒Ａの傾きを止め、燃焼筒Ａをそれ以上傾けることができないようにしたものである。この傾きが止められる位置では燃焼筒Ａの下端が芯収容筒４から離れないようにして、燃焼筒Ａが正しい位置から外れないようにしたから、点火操作後に操作つまみ９ａから手を離すだけで燃焼筒Ａを正しい位置に戻すことができ、点火操作後に燃焼筒Ａが傾いた状態で載置されることはなくなり、使用者が特別意識しなくても燃焼筒Ａを正しい位置に載置することができるものとなり、不完全燃焼の恐れはなくなった。
【００１４】
具体的な構成として、規制手段１２は操作つまみ９ａと反対側の燃焼筒Ａの外筒９側面に配置した突起部材１２ａで構成し、突起部材１２ａの側面と筒状枠体１１の側壁に取り付けたリング状のガイド板１３の内周端１３ａとが所定の間隔をあけて対向するように配置したものであり、燃焼筒Ａの一端を持ち上げたときに突起部材１２ａがガイド板１３の内周端１３ａに当接することによって、燃焼筒Ａの傾きを止めて正しい位置から外れないようにすることができる。また、突起部材１２ａの側面と筒状枠体１１の側壁に取り付けたガイド板１３の内周端１３ａは、突起部材１２ａに対してリング状に配置しているため、どの方向に対しても所定の間隔を維持しているから、燃焼筒Ａの傾ける方向が変わったときでも、突起部材１２ａの側面がガイド板１３の内周端１３ａに当接することができ、燃焼筒Ａを確実に所定の位置で止めることができるものである。
【００１５】
また、ガイド板１３は内周端１３ａ側が高くなるように傾斜部１３ｂを設け、燃焼筒Ａの突起部材１２ａの上方に鍔部１４を設け、鍔部１４の外周端に設けた下向き縁部１４ａを傾斜部１３ｂの上方にのぞませており、操作つまみ９ａによって燃焼筒Ａを持ち上げたときや、芯５への点火後に燃焼筒Ａを元の位置に戻すときは、下向き縁部１４ａが傾斜部１３ｂに沿って移動し、燃焼筒Ａの下端が横に移動したときは下向き縁部１４ａの先端が傾斜部１３ｂに接触して横方向への移動を阻止するので、燃焼筒Ａを正しい位置に戻すことができるものとなった。また、突起部材１２ａがガイド板１３の内周端１３ａに当接して燃焼筒Ａの傾きを止めた位置では、下向き縁部１４ａの先端がガイド板１３に当接するので、燃焼筒Ａの傾きを確実に所定の位置で止めることができるものとなった。
【００１６】
また、規制手段１２の他の構成として、操作つまみ９ａと反対側の外筒９の側面と対向するように所定の角度間隔をあけて複数個の係止部材１５を配置し、係止部材１５には燃焼筒Ａの外筒９側面と所定の間隔をあけて対向する当接部１５ａを形成したものでは、燃焼筒Ａの一端を所定の角度まで持ち上げて傾けたときに複数個の係止部材１５の当接部１５ａが外筒９の側面に当接することで、燃焼筒Ａの傾きを止めることができるものであり、係止部材１５の角度間隔によって燃焼筒Ａの傾きを決定することができるものである。
【００１７】
また、係止部材１５は外筒９を囲むように複数個配置し、当接部１５ａの上部を燃焼筒Ａの外筒側面から離れる方向に湾曲した形状で形成して、その先端をガイド板１３の内周端１３ａより外側まで伸ばせば、燃焼筒Ａを芯収容筒４の上に載置するときは、燃焼筒Ａが湾曲した当接部１５ａに沿って係止部材１５の内側に誘導され、燃焼筒Ａを芯収容筒４の中央に案内することができるものであり、燃焼筒Ａの下端が係止部材１５にひっかかることなく、燃焼筒Ａの下端を点火装置等の部品に接触させることなく正しい位置に載置することができるものとなり、燃焼筒Ａを載置するときに点火装置等の部品の変形を防ぐことができる。
【００１８】
また、燃焼筒Ａの外筒９の側面に円周方向に沿って突部９ｂを設けて外筒９の真円を補強し、燃焼筒Ａを傾けたときに係止部材１５の当接部１５ａが燃焼筒Ａの外筒９の突部９ｂに当接するようにしたから、燃焼筒Ａの傾きが止められた後に、更に燃焼筒Ａを傾けようとしたときに、外筒９の側面が当接部１５ａに押し付けられても外筒９の側面の変形を防止できるので、外筒９の変形によって燃焼筒Ａに供給される空気量のバランスが崩れて燃焼を悪化させる心配がなくなったものである。
【図面の簡単な説明】
【００１９】
【図１】この発明の実施例を示す石油燃焼器の縦断面図である。
【図２】図１に示す実施例において、点火手段を用いて点火する状態を説明する要部断面図である。
【図３】この発明の他の実施例を示す石油燃焼器の縦断面図である。
【図４】図３に示す実施例において、点火手段を用いて点火する状態を説明する要部断面図である。
【図５】この発明の他の実施例を示す石油燃焼器の要部の横断面図である。
【発明を実施するための形態】
【００２０】
図に示す実施例によってこの発明を説明すると、１は石油燃焼器の油タンク、１１は油タンク１の上に取り付けた石油燃焼器の筒状の枠体、２は油タンク１の底板から立設した芯内筒、３は油タンク１の上面に取り付けた芯外筒、４は芯内筒２と芯外筒３とで構成する芯収容筒、５は芯内筒２と芯外筒３との間隙に上下動自在に取り付けた芯であり、芯５の下部は油タンク１の燃料中に伸ばされており、芯５の下部で油タンク１の燃料を吸い上げて芯５の先端に供給する。
【００２１】
３ａは芯外筒３の外側に連続する外筒受け、７は芯内筒２の上部に配置した内炎筒、８は芯外筒３の上に配置した外炎筒、９は外筒受け３ａの上方に配置した外筒であり、実施例では内炎筒７と外炎筒８及び外筒９を径方向に貫通して、これら部材を連結し、内炎筒７内に交差部を形成する２本のクロスピンと呼ばれる連結部材が配置されている。２本のクロスピンは十字状に配置されており、このクロスピンによって内炎筒７と外炎筒８と外筒９は同心円状に保持されて、燃焼筒Ａを構成している。燃焼筒Ａを芯収容筒４の上に載置すると、内炎筒７と外炎筒８との間に芯５の先端が位置する。
【００２２】
６は芯外筒３の側面に取り付けた芯上下装置であり、芯上下装置６を操作して芯５を燃焼位置に上昇させると、芯５の先端が芯収容筒４の上部に突出する。芯収容筒４には乾電池を電源とする点火ヒータなどで構成される点火装置を備えており、上昇した芯５に点火ヒータを接近させ、乾電池電源によってこの点火ヒータに通電すると、芯５に供給された燃料に着火して燃焼が開始し、芯５の全周に炎が広がり、発生する燃焼炎と燃焼ガスは上方の燃焼筒Ａの内炎筒７と外炎筒８との間の間隙に送られる。そして、芯内筒２の内部空間を上昇して内炎筒７内に流入して間隙に供給される空気と、外炎筒８の外部から間隙に供給される空気とが、芯５から気化した燃料と混合して燃焼を完了する。また、芯上下装置６を操作して芯５を消火位置に下げると芯５が芯収容筒４内に収容されて消火することができる。
【００２３】
９ａは外筒９の側面に取り付けた燃焼筒Ａの操作つまみ、１６は枠体１１の側面に設けた開閉扉であり、開閉扉１６を開くと内側に位置する操作つまみ９ａが露出するので、操作つまみ９ａを持って燃焼筒Ａを左右に動かすことで、燃焼筒Ａが芯収容筒４の上に正しく載置しているか確認することができる。
【００２４】
上記の点火装置は、ヒータの断線や乾電池の容量が不足すると芯５に点火できなくなるため、このような場合はマッチや点火用ライター等を用いて点火することになる。図２の実施例において、１０はマッチやライターなどの点火手段であり、点火手段１０で点火をするときは開閉扉１６を開き、操作つまみ９ａを持って燃焼筒Ａの一端を持ち上げると、燃焼筒Ａは操作つまみ９ａとは反対側の外炎筒８の下端が支点になって傾いて芯収容筒４と燃焼筒Ａの下端との間に隙間ができるので、この隙間から点火手段１０を挿入して芯５の先端に点火するものである。そして、芯５に点火して炎を確認した後は燃焼筒Ａを元の位置に戻してから操作つまみ９ａから手を離す。
【００２５】
上記のように点火手段１０を用いて点火するときに、燃焼筒Ａを一定の角度をこえて大きく傾けると、支点となっている外炎筒８の下端が芯収容筒４から離れ、芯外筒３の上端を乗り越えることがあり、外炎筒８が芯外筒３の上端を乗り越えた状態のまま燃焼筒Ａを元に戻すと、燃焼筒Ａが芯収容筒４の上の正しい位置に載らないため燃焼筒Ａが傾いた状態でセットされ、燃焼筒Ａの下端と芯収容筒４の間に隙間ができ、芯収容筒４と燃焼筒Ａの下端との間にできた隙間から規定量以上の空気が供給されて異常燃焼を起こす原因となる。また、燃焼筒Ａを元に戻したときに芯収容筒４と燃焼筒Ａとの間に芯５の先端が挟まれてしまうと、芯５が消火位置まで下がらなくなり、消火できなくなる恐れがある。このような異常燃焼によるクレームは、使用者が燃焼筒Ａの傾きに気付かずに、そのまま使用してしまうことが原因となっている場合が多いから、使用者が特に意識をしなくても確実に燃焼筒Ａを芯収容筒４の上に正しく載置できる構成が望まれる。
【００２６】
この発明は上記の課題を解決するもので、１２は燃焼筒Ａと枠体１１との間に設けた規制手段であり、点火手段１０で点火するために操作つまみ９ａを持って燃焼筒Ａの一端を持ち上げて燃焼筒Ａを傾けたときに、規制手段１２が燃焼筒Ａの傾きを適切な位置で止めて、燃焼筒Ａが一定の角度をこえて傾かないようにすることで、燃焼筒Ａの外炎筒８が芯外筒３を乗り越えて移動することを防ぎ、燃焼筒Ａを正しい位置に戻すことができるようにするものである。
【００２７】
規制手段１２の具体的な実施例を示す図１において、１２ａは燃焼筒Ａの外筒９の側面に取付けた断面がコ字状の部材によって構成した突起部材であり、突起部材１２ａは操作つまみ９ａとは反対側に取付けられており、突起部材１２ａは上端位置が燃焼筒Ａの外筒９の上端位置と同じかもしくは少し高くなるように取り付け、下端位置が芯外筒３や外筒受け３ａとは接触しないように設けてある。
【００２８】
１３は枠体１１の側壁に取り付けた中央が開口するリング状のガイド板であり、ガイド板１３は突起部材１２ａの上端位置よりも低い位置に取り付けており、ガイド板１３の内周端１３ａが突起部材１２ａの側面と所定の間隔をあけて対向するように突起部材１２ａの寸法を設定している。
【００２９】
点火手段１０を用いて点火を行うために操作つまみ９ａを持って燃焼筒Ａを持ち上げると、突起部材１２ａを取り付けた側の外炎筒８の下端が支点となって燃焼筒Ａが傾き、燃焼筒Ａを所定の角度まで傾けると突起部材１２ａの側面がガイド板１３の内周端１３ａと当接し、燃焼筒Ａの傾きが止められる。この位置から更に燃焼筒Ａを持ち上げようとしても燃焼筒Ａは傾かず、燃焼筒Ａの全体を上方に持ち上げる状態となり、操作つまみ９ａだけを持って燃焼筒Ａの全体を持ち上げるにはかなり大きな力を必要とするので、燃焼筒Ａを傾けすぎて外炎筒８の下端が芯外筒３から離れることはなくなり、外炎筒８の下端が芯外筒３の上端を乗り越えることはなくなった。
【００３０】
このため、使用者は燃焼筒Ａの傾きが止まる位置まで持ち上げるだけで、燃焼筒Ａが正しい位置から外れることなく傾けることができ、芯外筒３と外炎筒８の間に点火手段１０によって芯５に点火できる十分なスペ−スを設けることができる。点火をした後は、燃焼筒Ａを下ろして操作つまみ９ａから手を離せば、燃焼筒Ａが正しい位置に戻るものであり、使用者は点火操作を行なうときに特に意識する必要はなく、異常燃焼を発生させる心配はなくなった。
【００３１】
また、燃焼筒Ａの操作つまみ９ａを持って左右に動かすと燃焼筒Ａの突起部材１２ａの位置も変化するが、ガイド板１３が燃焼筒Ａの外周にそって配置されているので、突起部材１２ａとガイド板１３の内周端１３ａは常に一定の距離を保つことができるので、燃焼筒Ａの操作つまみ９ａが正面を向いていないときでも、操作つまみ９ａを持って燃焼筒Ａの一端を持ち上げると、燃焼筒Ａが常に同じ角度まで傾いたときに突起部材１２ａがガイド板１３に当接するので、燃焼筒Ａの向く方向が変わっているときでも確実に燃焼筒Ａを正しくセットすることができるものとなった。
【００３２】
また、操作つまみ９ａを持って燃焼筒Ａを持ち上げたときに、支点となる外炎筒８の下端が芯外筒３の上面を横方向に滑って移動するときがある。この発明の他の実施例において、１３ｂはガイド板１３の内周端１３ａ側が高くなるように形成した傾斜部、１４は燃焼筒Ａの上部に形成した外方に広がる鍔部、１４ａは鍔部１４の外周縁を下方に向けて筒形に形成した下向き縁部であり、鍔部１４はガイド板１３の内周端１３ａより高い位置に形成され、鍔部１４の外径はガイド板１３の内周端１３ａの内径より大きくして、下向き縁部１４ａを傾斜部１３ｂの上方にのぞませ、下向き縁部１４ａの先端はガイド板１３の内周端１３ａより低い位置まで伸ばして、傾斜部１３ｂとは微小な隙間をあけて対向している。
【００３３】
この構成では、点火手段１０によって点火するために、操作つまみ９ａを持って燃焼筒Ａの一端を持ち上げたときは、下向き縁部１４ａが傾斜部１３ｂの傾斜角度に沿って移動しながら燃焼筒Ａが傾くことになる。燃焼筒Ａを持ち上げたときに支点となる外炎筒８の下端が横方向に滑ることがあるが、下向き縁部１４ａの先端がガイド板１３の傾斜部１３ｂと接触して燃焼筒Ａの横方向への移動を阻止するので、燃焼筒Ａを正しい角度で持ち上げることができる。このため、燃焼筒Ａが所定の角度まで傾いたときに確実に突起部材１２ａがガイド板１３の内周端１３ａに当接することができるものとなった。
【００３４】
そして、燃焼筒Ａを所定の角度まで傾けると、突起部材１２ａがガイド板１３の内周端１３ａに当接して燃焼筒Ａの傾きが止められ、この位置から更に燃焼筒Ａを持ち上げようとすると、下向き縁部１４ａの先端がガイド板１３に当接するので、燃焼筒Ａの移動を阻止して所定の位置で止めることができるものである。鍔部１４は燃焼筒Ａの外周にリング状に配置されているから、燃焼筒Ａの向く方向が変わっても下向き縁部１４ａの先端が確実にガイド板１３に当接して、燃焼筒Ａの移動を確実に阻止することができる。また、１３ｃは燃焼筒Ａの傾きが止められる位置で、下向き縁部１４ａの先端と接触するようにガイド板１３の上面に設けたストッパーであり、ストッパー１３ｃを設けることによって下向き縁部１４ａの横方向への移動を確実に阻止することができる。
【００３５】
更に、燃焼筒Ａを元に戻すときにも、下向き縁部１４ａが傾斜部１３ｂの傾斜角度に沿って移動しながら燃焼筒Ａの傾きが戻るから、支点となっている外炎筒８の下端が横方向に滑ると下向き縁部１４ａの先端がガイド板１３の傾斜部１３ｂと接触し、燃焼筒Ａの横方向への移動を阻止するので、燃焼筒Ａを正しい位置に戻すことができるものとなった。
【００３６】
また、規制手段１２の他の実施例を示す図３において、１５は外筒受け３ａの上面に複数個配置した係止部材、１５ａは係止部材１５の上部に形成した当接部である。実施例では係止部材１５を線材で構成しており、上部を半円状の湾曲した形状にして当接部１５ａを形成している。実施例では、４個の係止部材１５が燃焼筒Ａの外筒９の周囲を囲むように所定の角度間隔をあけて配置されており、外筒９の左右側面側に２個ずつ配置されている。当接部１５ａは燃焼筒Ａの中心方向を向くようにして放射状に配置されており、湾曲した当接部１５ａの頂点部分が燃焼筒Ａの外筒９の側面と所定の間隔をあけて対向している。１５ｂは複数個配置した係止部材１５を連結して向きを固定するための連結部材である。
【００３７】
燃焼筒Ａを傾ける角度は側面後方側に配置した２個の係止部材１５の角度によって決定されるものであり、側面後方側に配置した２個の係止部材１５の角度間隔を広くすると、燃焼筒Ａは大きく傾けることができるようになるものである。このため、係止部材１５は４個を均等な間隔で配置するのではなく、図５のように側面後方側の２個の角度間隔が広くなるように設けてある。側面後方側に配置した２個の係止部材１５の角度間隔によって、操作つまみ９ａを持って燃焼筒Ａを持ち上げたときに、外炎筒８の下端が芯外筒３から離れない位置で、芯収容筒４と燃焼筒Ａの下端との間に点火手段１０が確実に挿入できる隙間ができるようにしている。
【００３８】
この構成では、点火手段１０を用いて点火を行うために操作つまみ９ａを持って燃焼筒Ａを持ち上げると、燃焼筒Ａは外炎筒８の下端が支点となって傾き、燃焼筒Ａを所定の角度まで傾けると外筒９の側面が、燃焼筒Ａの側面後方側に配置した２個の係止部材１５の当接部１５ａと当接し、燃焼筒Ａの傾きが止められる。
【００３９】
燃焼筒Ａの傾きが止められた位置では、支点となる外炎筒８の下端が芯外筒３から離れておらず、この状態から更に燃焼筒Ａを持ち上げようとしても燃焼筒Ａは傾かず、燃焼筒Ａの全体を上方に持ち上げる状態となり、操作つまみ９ａだけを持って燃焼筒Ａの全体を持ち上げるためにはかなり大きな力を必要とするので、それ以上燃焼筒Ａを傾けることはなくなり、外炎筒８の下端が芯外筒３から離れて芯外筒３の上端を乗り越えることはなくなった。
【００４０】
上記のように側面後方側に配置した２個の係止部材１５の働きによって燃焼筒Ａの傾きを規制することができるが、実施例では側面後方側に配置した２個の係止部材１５の間にも係止部材１５を備えてもよい。図３において、１５ｃは側面後方側に配置した２個の係止部材１５の間に設けた係止突起であり、係止突起１５ｃは操作つまみ９ａとは反対側の外筒９の側面と対向しており、係止突起１５ｃは他の４個の係止部材１５の当接部１５ａよりも高い位置に設けてある。操作つまみ９ａを持って燃焼筒Ａを持ち上げたときに、側面後方側に配置した２個の係止部材１５の当接部１５ａが外筒９の側面と当接する。この位置から更に燃焼筒Ａを持ち上げようとすると係止突起１５ｃが外筒９の側面と当接し、外筒９を３点で支持するので、燃焼筒Ａの傾きを確実に止めることができるものである。
【００４１】
また、係止部材１５を連結する連結部材１５ｂは外筒９の外周を囲むように配置されているから、図５に示すように連結部材１５ｂの一部を変形して燃焼筒Ａの中心方向へ突出させた形状にして係止突起１５ｃを構成してもよい。この場合は係止突起１５ｃを別部材で設ける必要がなく、部品点数が削減することができる。
【００４２】
また、この発明の構成では、燃焼筒Ａを芯収容筒４の上に載置するときは、芯収容筒４の上方で燃焼筒Ａを４個の係止部材１５の当接部１５ａの内側へ入れるので、燃焼筒Ａが芯収容筒４の中央に案内され、芯収容筒４の正しい位置に載せることができる。更に、係止部材１５の当接部１５ａは上部が燃焼筒Ａの外筒９から離れる方向に湾曲した形状にし、先端がガイド板１３の内周端１３ａより外側に達するようになっているから、燃焼筒Ａを枠体１１の上から挿入するときガイド板１３を通過すれば、その先は４個の係止部材１５の内側に入れるときに外筒９の下端が当接部１５ａの上部に接触しても、外筒９の下端が当接部１５ａの湾曲部に沿って移動して、燃焼筒Ａが芯収容筒４の中央に案内されるので、燃焼筒Ａの外筒９と当接部１５ａとの間隔は狭くても、燃焼筒Ａの下端が係止部材１５に引っかかることなく、スムーズに燃焼筒Ａを載置することができる。このため、芯収容筒４に取り付けられた点火装置などの部品と燃焼筒Ａの下端とが接触して破損させることがなくなると共に、燃焼筒Ａが芯収容筒４の上に傾いた状態で載置されることがなくなった。
【００４３】
また、図３において、９ｂは外筒９の側面に円周方向に沿って形成したリング状の突部であり、突部９ｂによって外筒９の側面を補強している。突部９ｂは係止部材１５の当接部１５ａと対向する位置に設けてある。点火手段１０を用いて点火操作を行なうために燃焼筒Ａの一端を傾けたときは、突部９ｂの下部に係止部材１５の当接部１５ａが当接することで燃焼筒Ａの傾きを止めるものである。この位置から更に燃焼筒Ａを持ち上げようとすると燃焼筒Ａの外筒９が当接部１５ａに強く押し付けられるが、突部９ｂの補強の働きによって外筒９の側面の変形を防ぐことができる。外筒９が変形して内炎筒７と外炎筒８の間隙に供給される空気量のバランスが崩れると、燃焼を悪化させる恐れがあるが、この発明では外筒９を変形させることがないから、燃焼筒Ａにはバランス良く空気が供給されて安定した燃焼状態を維持できるものである。
【符号の説明】
【００４４】
１    油タンク
２    芯内筒
３    芯外筒
４    芯収容筒
５    芯
６    芯上下装置
７    内炎筒
８    外炎筒
９    外筒
９ａ  操作つまみ
９ｂ  突部
１０    点火手段
１１    枠体
１２    規制手段
１２ａ  突起部材
１３    ガイド板
１３ａ  内周端
１３ｂ  傾斜部
１４    鍔部
１４ａ  下向き縁部
１５    係止部材
１５ａ  当接部
【図１】
0006417784.tif 000002
【図２】
0006417784.tif 000003
【図３】
0006417784.tif 000004
【図４】
0006417784.tif 000005
【図５】
0006417784.tif 000006